(57)【要約】【課題】交差点交通をより効率的なものとする交差点交通管制システムを提供すること。【解決手段】交差点に進入する車両に対して優先度を設定し、この設定された優先度に応じて交差点を通過するように交差点に進入する車両の速度を制御する交差点交通管制システムにおいて、当該交差点を含む所定領域内に進入した進入車両が複数台存在するとき、交差点に到達するまでに要する時間長が短い車両から順に当該交差点を通過するように、進入車両の走行速度を制御する。所定領域内に優先道路から進入した車両Ａと非優先道路から進入した車両Ｂとが存在する場合、車両Ａを車両Ｂよりも先に当該交差点を通過させる。但し、車両Ｂが交差点を通過するまでに要する時間長が車両Ａが交差点に到達するまでに要する時間長よりも短い場合、及び、車両Ｂが既に交差点に到達している場合には、車両Ｂを車両Ａよりも先に交差点を通過させる。【選択図】図４
2007293388.tif 000002
【特許請求の範囲】
【請求項１】
交差点に進入する車両に対して優先度を設定し、この設定された優先度に応じて交差点を通過するように交差点に進入する車両の速度を制御する交差点交通管制システムであって、
当該交差点を含む所定領域内に進入した進入車両が複数台存在するとき、当該交差点に到達するまでに要する時間長が短い車両から順に当該交差点を通過するように、前記進入車両の走行速度を制御する、ことを特徴とする交差点交通管制システム。
【請求項２】
請求項１記載の交差点交通管制システムであって、
前記複数の進入車両の中に前記所定領域内に優先道路から進入した第一の進入車両と非優先道路から進入した第二の進入車両とが存在する場合には、前記第一の進入車両が前記第二の進入車両よりも先に当該交差点を通過するように、前記第二の進入車両の走行速度を制限する、ことを特徴とする交差点交通管制システム。
【請求項３】
請求項２記載の交差点交通管制システムであって、
前記第二の進入車両が当該交差点を通過するまでに要する時間長が前記第一の進入車両が当該交差点に到達するまでに要する時間長よりも短い場合には、前記第二の進入車両の走行速度を制限せず、前記第二の進入車両を前記第一の進入車両よりも先に当該交差点を通過させる、ことを特徴とする交差点交通管制システム。
【請求項４】
請求項２記載の交差点交通管制システムであって、
前記第二の進入車両が当該交差点に到達している場合には、前記第二の進入車両の走行速度を制限せず、前記第二の進入車両を前記第一の進入車両よりも先に当該交差点を通過させる、ことを特徴とする交差点交通管制システム。
【請求項５】
請求項２乃至４のいずれか一項記載の交差点交通管制システムであって、
前記第二の進入車両の走行速度を制限するとき、その制限量は車両の諸元を考慮して決定される、ことを特徴とする交差点交通管制システム。
【請求項６】
請求項１乃至５のいずれか一項記載の交差点交通管制システムであって、
前記所定領域は、当該交差点の停止線位置に基づいて設定される、ことを特徴とする交差点交通管制システム。
【請求項７】
請求項１乃至６のいずれか一項記載の交差点交通管制システムであって、
前記所定領域は、前記進入車両の走行状態に基づいて設定される、ことを特徴とする交差点交通管制システム。
【発明の詳細な説明】
【技術分野】
【０００１】
本発明は、概して、交差点に進入する車両に対して優先度を設定し、この設定された優先度に応じて交差点を通過するように交差点に進入する車両の速度を制御する交差点交通管制システムに係り、特に、交差点交通をより効率的なものとする交差点交通管制システムに関する。
【背景技術】
【０００２】
従来、交差点に進入する車両に対して優先度を設定し、この設定された優先度に応じて交差点を通過するように交差点に進入する車両の速度を制御する交差点交通管制システムが知られている（例えば、特許文献１〜３参照）。
【０００３】
特許文献１には、交差点のサービスエリア内に入り、優先道に車両が存在する場合は減速して出会い頭衝突を防止するシステムが開示されている。
【０００４】
特許文献２には、交差点での衝突可能性を判断し、必要に応じて警報又は減速制御を与える衝突防止支援方法が開示されている。
【０００５】
特許文献３には、交差点に設置され、交差点に接近する台車の情報（緊急車等）から優先度を設定して台車に進入許可や停止を命じる装置が開示されている。
【特許文献１】特開２００１−１２６１９８号公報
【特許文献２】特開２００２−１４０７９９号公報
【特許文献３】特開２００３−２８８１１９号公報
【発明の開示】
【発明が解決しようとする課題】
【０００６】
しかしながら、上記特許文献１〜３記載の従来装置／システムによれば、優先権が与えられた車両が優先順位判定時とは異なる走行をすると、効率的な交差点交通流の実現が阻害される可能性がある。
【０００７】
本発明はこのような課題を解決するためのものであり、交差点交通をより効率的なものとする交差点交通管制システムを提供することを主たる目的とする。
【課題を解決するための手段】
【０００８】
上記目的を達成するための本発明の一態様は、交差点に進入する車両に対して優先度を設定し、この設定された優先度に応じて交差点を通過するように交差点に進入する車両の速度を制御する交差点交通管制システムであって、当該交差点を含む所定領域内に進入した進入車両が複数台存在するとき、当該交差点に到達するまでに要する時間長が短い車両から順に当該交差点を通過するように、上記進入車両の走行速度を制御する、交差点交通管制システムである。
【０００９】
上記一態様によれば、当該交差点までより早く到達する車両を優先させることで当該交差点を通過する各車両を極力停止させることなく、高密度で、効率的に、交差点を通過させることができる。
【００１０】
なお、上記一態様において、上記所定領域は、当該交差点の中心位置に基づいて設定されてもよいが、例えば、当該交差点の停止線位置及び／又は上記進入車両の走行状態（速度、加減速度、等）に基づいて設定される方が好ましい。
【００１１】
また、上記一態様において、上記複数の進入車両の中に上記所定領域内に優先道路から進入した第一の進入車両と非優先道路から進入した第二の進入車両とが存在する場合には、上記第一の進入車両が上記第二の進入車両よりも先に当該交差点を通過するように、上記第二の進入車両の走行速度を制限してもよい。
【００１２】
但し、この場合でも、Ａ）上記第二の進入車両が当該交差点を通過するまでに要する時間長が上記第一の進入車両が当該交差点に到達するまでに要する時間長よりも短い場合、及び、Ｂ）上記第二の進入車両が当該交差点に到達している場合には、上記第二の進入車両の走行速度を制限せず、上記第二の進入車両を上記第一の進入車両よりも先に当該交差点を通過させることが好ましい。
【００１３】
加えて、ここで、上記第二の進入車両の走行速度を制限するときには、その制限量は車両の諸元（全長、車幅、等）を考慮して決定されることが好ましい。
【発明の効果】
【００１４】
本発明によれば、交差点交通をより効率的なものとする交差点交通管制システムを提供することができる。
【発明を実施するための最良の形態】
【００１５】
以下、本発明を実施するための最良の形態について、添付図面を参照しながら実施例を挙げて説明する。
【００１６】
なお、以下の実施例の説明において、典型的な交差点の一例として、十字路交差点を例に挙げて説明する。
【実施例】
【００１７】
以下、図１〜１０を用いて、本発明の一実施例に係る交差点交通管制システムについて説明する。本実施例に係る交差点交通管制システムは、概して、車両用信号機が設置されていない交差点において交錯可能性を有する各車両に優先順位を付け、各車両がこの優先順位に従って順に当該交差点を通過するように最優先車両以外の車両を減速させるシステムである。
【００１８】
図１に、本実施例に係る交差点交通管制システム１００の概略を示す。交差点交通管制システム１００は、車両用信号機の設置されていない交差点に設置され、車両Ｖとの路車間通信を実現するための通信機能を備えた路側装置１０１と、当該交差点に進入しようとしている各車両Ｖに搭載され、路側装置１０１との路車間通信を実現するための通信機能を備えると共に、車両の走行を制御する機能を備えた車両用走行制御装置１０２と、から構成される。
【００１９】
ここで、図１では、便宜上、路側装置１０１があたかも十字路交差点の１つの角に設置されているかのように図示しているが、路側装置１０１の設置位置は、当該交差点に進入する各車両Ｖとの間で路車間通信を実現できる限り任意でよい。
【００２０】
また、路車間通信の具体的な仕様については、様々な通信方式や装置構成が既に提案されており、当業者には既知であるため、ここでは詳細な説明は省略する。
【００２１】
さらに、当業者には明らかなように、路側装置１０１と車両用走行制御装置１０２との間の路車間通信は、直接的な無線通信接続に限られず、車車間通信や衛星通信を経由した間接的な通信接続であってもよい。
【００２２】
各車両Ｖに搭載された車両用走行制御装置１０２は、路車間通信を利用して、自車両の現在位置及び移動速度（車速）、並びに、自車両の車両諸元（全長、車幅、等）を路側装置１０１へ送信する。
【００２３】
路側装置１０１は、交差点に進入しようとする各車両Ｖから受信した各車両Ｖの位置及び車速に基づいて各車両Ｖの交差点通過優先順位を決定し、路車間通信を利用して、最優先車両へ交差点通過上限速度まで加速して交差点を通過するように速度制御指示を送信すると共に、最優先車両以外の車両には減速するように速度制御指示を送信して最優先車両の交差点通過を待機させる。この点については、後に詳述する。
【００２４】
図２は、本実施例に係る路側装置１０１の概略構成図である。
【００２５】
路側装置１０１は、車両用走行制御装置１０２と通信する通信部２０１を有する。通信部２０１が備えるアンテナの性能や形状並びに通信に利用する方式や周波数帯域などについては、特段の制限はなく、任意でよい。
【００２６】
路側装置１０１は、更に、後に詳述する各車両の交差点通過優先順位や各車両への速度制御量などを演算する際に用いられる各種アルゴリズムや道路情報を予め記憶保持する記憶部２０２を有する。記憶部２０２は、任意の記憶媒体でよい。また、記憶部２０２に記憶保持されたアルゴリズムや情報は、例えば通信を利用して、最新のバージョンに適宜更新されることが好ましい。
【００２７】
なお、ここで、「道路情報」とは、少なくとも、交差点を形成する道路の中に優先道路に設定されている道路が存在するか否かの情報を含むものとする。優先道路とは、例えば、道幅又は車線数が所定以上の道路を指すものとする。
【００２８】
路側装置１０１は、更に、各種の演算を実行すると共に、路側装置１０１の各構成要素を統括的に制御する主制御部２０３を有する。主制御部２０３は、例えば、ＥＣＵ（Ｅｌｅｃｔｒｏｎｉｃ  Ｃｏｎｔｒｏｌ  Ｕｎｉｔ；電子制御装置）である。
【００２９】
図３は、本実施例に係る車両用走行制御装置１０２の概略構成図である。
【００３０】
車両用走行制御装置１０２は、路側装置１０１と通信する通信部３０１を有する。通信部３０１が備えるアンテナの性能や形状並びに通信に利用する方式や周波数帯域などについては、特段の制限はなく、任意でよい。
【００３１】
車両用走行制御装置１０２は、更に、例えばＧＰＳ（Ｇｌｏｂａｌ  Ｐｏｓｉｔｉｏｎｉｎｇ  Ｓｙｓｔｅｍ；全地球測位システム）を利用して自車両の位置を検出する自車両位置検出部３０２を有する。自車両位置検出部３０２の検出精度（分解能）は高い（細かい）ほど好ましく、例えばＲＴＫ（Ｒｅａｌ  Ｔｉｍｅ  Ｋｉｎｅｍａｔｉｃ）−ＧＰＳなどの高精度ＧＰＳが利用されることが好ましい。
【００３２】
車両用走行制御装置３０２は、更に、自車両の車速を検出する車速検出部３０３を有する。車速検出部３０３は、例えば車輪速センサを利用して、自車両の車速を検出する。代替例として、自車両位置検出部３０２によって検出された自車両位置の時間変化から自車両の車速を算出してもよい。
【００３３】
車両用走行制御装置１０２は、更に、車両長さや車両幅といった自車両の諸元データを予め記憶保持する記憶部３０４を有する。記憶部３０４は、任意の記憶媒体でよい。
【００３４】
車両用走行制御装置１０２は、更に、例えばスロットル弁開度を制御してエンジン出力を調整するなどして、運転者によるアクセルペダル操作とは独立して、自車両において発生する駆動力の大きさを制御する駆動力制御部３０５を有する。
【００３５】
車両用走行制御装置１０２は、更に、例えばブレーキ油圧を制御するなどして、運転者によるブレーキペダル操作とは独立して、自車両において発生する制動力の大きさを制御する制動力制御部３０６を有する。
【００３６】
車両用走行制御装置１０２は、更に、車両用走行制御装置１０２の各構成要素を統括的に制御する主制御部３０７を有する。主制御部３０７は、例えば、ＥＣＵ（Ｅｌｅｃｔｒｏｎｉｃ  Ｃｏｎｔｒｏｌ  Ｕｎｉｔ；電子制御装置）である。
【００３７】
次いで、図４のフローチャートを参照して、本実施例における交差点通過制御処理の流れを説明する。
【００３８】
まず、路側装置１０１の主制御部２０３は、通信部２０１を通じて車両用走行制御装置１０２から取得された各車両の位置及び速度から、制御対象となる交差点を含む所定領域（以下、「制御エリア」と称す）内に当該交差点に向かって走行している（すなわち、当該交差点に進入しようとしている）車両が複数台存在するか否かを判定する（Ｓ４０１）。
【００３９】
ここで、制御エリアの設定方法について図５を用いて説明する。制御エリアＲは、簡易的に、交差点の中心点Ｏを中心とした所定半径円としてもよいが、本実施例では、最優先車両が交差点を通過中に他の非優先車両が交差点内に（一時停止線Ｌの内側に）進入することを防止する観点から、一時停止線Ｌからの時間ａを基準として制御エリアＲを決定する。ここで、一時停止線Ｌまでの時間ａとは、交差点に進入しようとしている車両の現在位置から前方の一時停止線Ｌまでの距離を当該車両のその時の車速で除算して得られる数値である。
【００４０】
このように、路側装置１０１の主制御部２０３は、制御対象である交差点の一時停止線Ｌに到達するまでに要する時間長が時間ａ以下となった判断された車両を速度制御の対象とし、優先順位を割り当てる。
【００４１】
なお、実際の道路に一時停止線Ｌが設けられていない場合、路側装置１０１の主制御部２０３は、演算上、仮想の一時停止線Ｌを設定する。仮想一時停止線Ｌは、例えば、交差点の中心点Ｏからの距離ｂ＝（道路幅／２）＋１メートルとなるように設定される。
【００４２】
制御エリア内に交差点に進入しようとしている車両が複数台存在すると判定されたとき（Ｓ４０１の「ＹＥＳ」）、路側装置１０１の主制御部２０３は、次いで、記憶部２０２に記憶保持された道路情報を参照して、交差点を形成している道路の中に優先道路／非優先道路が存在するか否かを判定する（Ｓ４０２）。これは、後述するように、本実施例においては、原則として、優先道路上の車両を非優先道路上の車両よりも先に交差点を通過させるための判断である。
【００４３】
優先道路／非優先道路が存在する場合（Ｓ４０２の「ＹＥＳ」）、次いで、路側装置１０１の主制御部２０３は、通信部２０１を通じて各車両の車両用走行制御装置１０２から取得した車両位置に基づいて、非優先道路上の車両が、例えば図６に一例を示すように、既に一時停止線Ｌを超えて交差点内に入っているか否かを判定する（Ｓ４０３）。
【００４４】
図６に示した一例のように、優先道路上の車両（Ｖ１）が制御エリア（Ｒ）内に入った時点で既に非優先道路上の車両（Ｖ２）が交差点内に入っていたときは（Ｓ４０３の「ＹＥＳ」）、このような状況でも優先道路上の車両（Ｖ１）を優先的に交差点通過させるものとすると非優先道路上の車両（Ｖ２）を大幅に減速又は停止させる必要が生じて当該交差点における交通効率が悪くなることから、例外的に、非優先道路上の車両（Ｖ２）を優先道路上の車両（Ｖ１）よりも先に交差点を通過させるものとする（Ｓ４０７）。
【００４５】
他方、非優先道路上の車両が交差点内に入っていない場合（Ｓ４０３の「ＮＯ」）、次いで、路側装置１０１の主制御部２０３は、通信部２０１を通じて各車両の車両用走行制御装置１０２から取得した車両位置及び速度に基づいて、優先道路上の車両が交差点に到達する前までに、非優先道路上の車両が交差点を通過してしまうか否かを判定する（Ｓ４０４）。
【００４６】
換言すれば、図７に示すように、優先道路上の車両Ｖ１が一時停止線Ｌに到達するまでに要する時間長ｔ１と、非優先道路上の車両Ｖ２が交差点を渡って交差点外へ出るまでに要する時間長ｔ２とを大小比較し、ｔ２＜ｔ１であるか否かを判定する。
【００４７】
優先道路上の車両（Ｖ１）が交差点に到達する前までに非優先道路上の車両（Ｖ２）が交差点を通過してしまう（すなわち、図７において、ｔ２＜ｔ１）と判定されたときには（Ｓ４０４の「ＹＥＳ」）、優先道路上の車両（Ｖ１）を基本的には減速させなくても非優先道路上の車両（Ｖ２）を先に交差点通過させることができるため、非優先道路上の車両（Ｖ２）を先に交差点通過させた方が効率が良いとの観点から、例外的に、非優先道路上の車両（Ｖ２）を優先道路上の車両（Ｖ１）よりも先に交差点を通過させるものとする（Ｓ４０７）。
【００４８】
他方、優先道路上の車両（Ｖ１）が交差点に到達する前までに非優先道路上の車両（Ｖ２）が交差点を通過してしまうことができない（すなわち、図７において、ｔ２≧ｔ１）と判定されたときには（Ｓ４０４の「ＮＯ」）、原則通り、優先道路上の車両を非優先道路上の車両よりも先に交差点を通過させる（Ｓ４０６）。
【００４９】
このように、本実施例では、交差点を形成する道路に優先道路／非優先道路の区別が存在する場合には、原則として優先道路上の車両の交差点通過を優先しつつ、Ｓ４０３及びＳ４０４において判定したように優先道路上の車両を優先させた方が交差点交通制御の効率が悪くなるような状況では例外的に非優先道路上の車両を優先的に交差点通過させるものとする。
【００５０】
ところで、交差点を形成する道路に優先道路／非優先道路の区別が存在しない場合（Ｓ４０２の「ＮＯ」）、路側装置１０１の主制御部２０３は、「早い者勝ち」の原則に戻って優先順位を決定するために、通信部２０１を通じて各車両の車両用走行制御装置１０２から取得した車両位置及び速度に基づいて、制御エリアＲ内の各車両の交差点内に進入する（一時停止線Ｌに到達する）までに要する時間長を比較する。
【００５１】
この様子の一例を図８に示す。この例では、車両Ｖ１が一時停止線Ｌに到達するまでに要する時間長ｔ１と、車両Ｖ２が一時停止線Ｌに到達するまでに要する時間長ｔ２とが大小比較される。
【００５２】
この比較結果に基づき、路側装置１０１の主制御部２０３は、交差点に進入しようとしている車両が同時に交差点に到達するか否かを判定する（Ｓ４０５）。ここで、同時とは、厳密に同時である必要はなく、ある程度の時間幅を持っていてもよい。
【００５３】
交差点に進入しようとしている車両が交差点へ同時には到達しないと判定された場合（Ｓ４０５の「ＮＯ」）、原則通り、交差点により早く到達する車両から順に優先順位を割り当て、より早く交差点に到達する車両から順に交差点を通過させる（Ｓ４０８）。
【００５４】
他方、交差点に進入しようとしている車両が交差点へ同時（又は略同時）に到達すると判定された場合（Ｓ４０５の「ＹＥＳ」）、「早い者勝ち」の原則を適用するのは適切でないと判断して、「左方優先」の原則を適用し、車両同士が互いに見たときに左方に位置する側の車両を先に交差点通過させる（Ｓ４０９）。
【００５５】
このようにして、制御エリアＲ内に位置する複数の交差点に進入しようとしている車両に対していずれの車両をどのような順序で交差点通過させるかを表す優先順位が決定されると、次いで、路側装置１０１の主制御部２０３は、記憶部２０２に記憶保持された速度制御量を決定するためのアルゴリズムに基づいて、決定された優先順位に従って、制御エリアＲの交差点に進入しようとしている各車両が、それぞれ極力停止せず、減速を最小限に留めて、高効率・高密度に、優先順位が最も高い車両から順に交差点を通過するように、制御エリアＲ内の交差点に進入しようとしている各車両に対して速度制御を実行する（Ｓ４１０）。
【００５６】
より具体的には、路側装置１０１の主制御部２０３は、通信部３０１を通じて、最優先車両には、予め設定されている交差点通過上限速度まで加速して直ちに交差点を通過するように指示し、最優先車両以外の非優先車両には、最優先車両が交差点を通過するまでに交差点内に進入しないようにしつつ、当該車両の減速を最小限に留めるように演算された減速量及びその後の定速走行速度を指示する。最優先車両が交差点を通過すると、各車両の優先順位が１つずつ繰り上がり、同様の処理が繰り返される。
【００５７】
本実施例において、上記のように非優先車両の各々へ指示される最小限の減速量は、非優先車両を優先車両と同じ道路／車線を同じ方向へ走行する車両となる仮想位置へ座標変換（射影）し、座標変換（射影）後の非優先車両が優先車両に対して所定の車間距離（余裕／マージン距離）を保って追従走行するものとした場合にまず上記所定の車間距離を確保するのに必要な減速量として算出される。
【００５８】
この座標変換（射影）について、図９及び１０の概略図を参照して説明する。
【００５９】
図９（ａ）は、一例として、中心点座標が（Ｘ，Ｙ）である交差点に、車両Ｖ１及びＶ２が進入しようとしている場合を示している。
【００６０】
まず、路側装置１０１の主制御部２０３は、位置情報及び車速情報と共に車両用走行制御装置１０２から受信した各車両の諸元（車両長さ及び車両幅）に基づいて、交差点中心位置座標（Ｘ，Ｙ）を補正する。
【００６１】
図９（ａ）において、Ｘ’は、補正後の交差点中心位置のＸ座標値を表しており、｜Ｘ’−Ｘ｜＝（車両Ｖ２の車両長さ）＋（車両Ｖ１の車両幅）／２である。同様に、Ｙ’は、補正後の交差点中心位置のＹ座標値を表しており、｜Ｙ’−Ｙ｜＝（車両Ｖ１の車両長さ）＋（車両Ｖ２の車両幅）／２である。
【００６２】
路側装置１０１の主制御部２０３は、図９（ｂ）に示すように、上記のような補正後の仮想交差点中心位置（Ｘ’，Ｙ’）を演算に用いることによって、優先車両となった車両の後部が交差点を通過するまで非優先車両に対する速度制御が実行されるようにする。
【００６３】
このようにして、交差点中心位置が補正されると、次いで、路側装置１０１の主制御部２０３は、図１０（ａ）に示すように、補正された仮想交差点中心位置（Ｘ’，Ｙ’）を用いて、交差点に進入しようとしている車両Ｖ１の速度（ベクトルｖ１）と車両Ｖ２の速度（ベクトルｖ２）とのベクトル比に基づいて、車両Ｖ２を位置Ｖ２’へ射影する。
【００６４】
図１０（ａ）の場合、射影後の車両Ｖ２’が車両Ｖ１よりも仮想交差点中心位置（Ｘ’，Ｙ’）へ近いため、車両Ｖ２の交差点通過が車両Ｖ１の交差点通過よりも優先され、車両Ｖ１が車両Ｖ２’を所定の車間距離を保って追従するように車両Ｖ１に対する速度制御が実施される。これにより、仮想交差点中心まで先に到達する車両の交差点通過を優先させることができる。
【００６５】
なお、変形例として、図１０（ｂ）に示すように、車両Ｖ１及びＶ２間の速度比ではなく仮想交差点中心位置（Ｘ’，Ｙ’）までの距離ｄに基づいて射影してもよい。図１０（ｂ）の場合、射影後の車両Ｖ２’よりも車両Ｖ１の方が仮想交差点中心位置（Ｘ’，Ｙ’）へ近いため、車両Ｖ１の交差点通過が車両Ｖ２の交差点通過よりも優先され、車両Ｖ２’が車両Ｖ１を所定の車間距離を保って追従するように、車両Ｖ２に対して速度制御が実施される。この変形例によれば、交差点中心までの絶対距離が近い順に優先順位が割り当てられることになるため、後から他の車両よりも大幅に速度が高い車両が制御エリア内に進入してきたときに優先順位が混乱せずに済む。
【００６６】
以上、説明してきたように、本実施例によれば、交差点交通を制御する際に、当該交差点までより早く到達する車両から順に、各車両を極力停止させることなく、高密度で、効率的に、交差点を通過させることができる。
【００６７】
また、本実施例によれば、交差点を形成する道路の中に優先道路が存在する場合、原則として優先道路上の車両を優先的に交差点通過させつつ、優先道路上の車両を優先することによって交差点交通の効率が下がるときには例外的に非優先道路上の車両を優先的に交差点通過させることができる。
【００６８】
なお、上記一実施例においては、一例として、各車両の車速はそれぞれ車両ローカルにおいて測定され、路側装置へ送信されるものとしたが、本発明はこの形態に限定されず、例えば、車両から路側装置へは位置情報のみが送信され、路側装置側で受信された車両位置情報の時間変化から各車両の移動速度を算出するものとしてもよい。
【００６９】
また、上記一実施例においては、一例として、各車両が車両長さと車両幅を含む車両諸元情報を予め車両ローカルに記憶保持しておき、路側装置へ送信するものとしたが、本発明はこの形態に限定されず、例えば、路側装置が車両諸元と車両識別情報（車両ＩＤ）との対応関係を示すテーブルを予め記憶保持しておき、各車両は自車両の車両ＩＤのみを路側装置へ送信するようにし、路側装置は車両ＩＤを上記テーブルに照らして送信元車両の車両諸元を得るものとしてもよい。
【００７０】
さらに、上記一実施例の説明においては、一例として、十字路交差点を例に挙げたが、本発明に係る交差点交通管制システムは、あらゆる形状の交差点に適用可能である。
【産業上の利用可能性】
【００７１】
本発明は、交差点に進入する車両の速度を制御する交差点交通管制システムに利用できる。制御対象となる車両の動力源種類、燃料種類、外観デザイン、重量、サイズ、走行性能等はいずれも不問である。また、交差点の形状も不問である。
【図面の簡単な説明】
【００７２】
【図１】本発明の一実施例に係る交差点交通管制システムの概略全体図である。
【図２】本発明の一実施例に係る交差点交通管制システムにおいて用いられる路側装置の概略構成図である。
【図３】本発明の一実施例に係る交差点交通管制システムにおいて用いられる車両用走行制御装置の概略構成図である。
【図４】本発明の一実施例に係る交差点交通管制システムにおける交差点通過制御処理の流れを示すフローチャートである。
【図５】本発明の一実施例における制御エリアを設定手法を説明するための図である。
【図６】優先道路上の車両が制御エリア内に入ったときに非優先道路上の車両が既に交差点内に入っていた場合の様子を示す図である。
【図７】非優先道路上の車両が交差点を通過するまでの時間と優先道路上の車両が交差点に到達するまでの時間を比較する様子を示す図である。
【図８】道路に優先／非優先がない場合に交差点に到達するまでの時間を比較する様子を示す図である。
【図９】本発明の一実施例に係る交差点交通管制システムによる車両諸元に基づいて交差点中心位置の補正の様子を示す図である。
【図１０】本発明の一実施例に係る交差点交通管制システムによる車両位置射影の様子を示す図である。
【符号の説明】
【００７３】
１００  交差点交通管制システム
１０１  路側装置
１０２  車両用走行制御装置
２０１  通信部
２０２  記憶部
２０３  主制御部
３０１  通信部
３０２  自車両位置検出部
３０３  車速検出部
３０４  記憶部
３０５  駆動力制御部
３０６  制動力制御部
３０７  主制御部
【図１】
2007293388.tif 000003
【図２】
2007293388.tif 000004
【図３】
2007293388.tif 000005
【図４】
2007293388.tif 000006
【図５】
2007293388.tif 000007
【図６】
2007293388.tif 000008
【図７】
2007293388.tif 000009
【図８】
2007293388.tif 000010
【図９】
2007293388.tif 000011
【図１０】
2007293388.tif 000012